(57)【要約】【課題】操作装置の接点部のオン／オフを検出可能としながらも小型化を図ることができる電子スイッチ装置及び電子スイッチシステムを提供する。【解決手段】主スイッチ部Ｑ１は、交流電源１１と負荷１２との間に電気的に接続され、交流電源１１と負荷１２との間の導通／非導通を切り替える。一対の操作端子１０３，１０４は、交流電源１１と負荷１２との間において主スイッチ部Ｑ１と電気的に並列に接続される接点部９１を有する操作装置９を接続するための端子である。制御部５は、接点部９１のオン／オフに応じて、オン状態と、オフ状態との間で、主スイッチ部Ｑ１の動作状態を切り替える。主検出部３は、主スイッチ部Ｑ１の両端間の電圧の大きさを検出する。副検出部８は、一対の操作端子１０３，１０４間の電圧の大きさを検出する。制御部５は、主検出部３の検出結果と副検出部８の検出結果との相対的な関係に基づいて、接点部９１のオン／オフを検出する。【選択図】図１
2018147756.tif 000002
【特許請求の範囲】
【請求項１】
交流電源と負荷との間に電気的に接続され、前記交流電源と前記負荷との間の導通／非導通を切り替える主スイッチ部と、
前記交流電源と前記負荷との間において前記主スイッチ部と電気的に並列に接続される接点部を有する操作装置を接続するための一対の操作端子と、
前記接点部のオン／オフに応じて、前記交流電源から前記負荷への電力供給を行うオン状態と、前記交流電源から前記負荷への電力供給を遮断するオフ状態との間で、前記主スイッチ部の動作状態を切り替えるように前記主スイッチ部を制御する制御部と、
前記主スイッチ部の両端間の電圧の大きさを検出する主検出部と、
前記一対の操作端子間の電圧の大きさを検出する副検出部と、を備え、
前記制御部は、
前記主検出部の検出結果と前記副検出部の検出結果との相対的な関係に基づいて、前記接点部のオン／オフを検出するように構成されている
電子スイッチ装置。
【請求項２】
前記制御部は、
少なくとも前記主スイッチ部の動作状態が前記オン状態である場合に、前記主検出部の検出結果と前記副検出部の検出結果との相対的な関係に基づいて前記接点部のオン／オフを検出し、前記接点部がオンしたことを検出すると前記主スイッチ部の動作状態を前記オフ状態に切り替えるように構成されている
請求項１に記載の電子スイッチ装置。
【請求項３】
前記主検出部の検出値が基準値に達した時点からの経過時間を計測するタイマを更に備え、
前記制御部は、
前記経過時間が所定の待機時間に達するまでの期間に、前記副検出部の検出値が副基準値に達した場合、前記接点部がオフであると判断し、前記経過時間が前記待機時間に達するまでの期間に、前記副検出部の検出値が副基準値に達しない場合、前記接点部がオンであると判断するように構成されている
請求項１又は２に記載の電子スイッチ装置。
【請求項４】
前記主検出部の検出値が基準値に達した時点からの経過時間を計測するタイマを更に備え、
前記制御部は、
前記経過時間が所定の上限時間に達するまでの期間に、前記副検出部の検出値が副基準値に達しなければ、前記経過時間が前記上限時間に達した時点で、前記副検出部の検出値が前記副基準値に達したことと判断する仮想処理を、連続して最大で所定回数まで行うように構成されており、
前記制御部は、
前記主スイッチ部の動作状態が前記オン状態であるオン期間においては、少なくとも前記主検出部の検出結果、及び前記副検出部の検出結果又は前記仮想処理の判断結果に基づいて、前記主スイッチ部を導通させるタイミングを決定するように構成されている
請求項１〜３のいずれか１項に記載の電子スイッチ装置。
【請求項５】
前記制御部は、前記接点部がオンであると連続して複数回判断すると、前記主スイッチ部の動作状態を切り替えるように構成されている
請求項１〜４のいずれか１項に記載の電子スイッチ装置。
【請求項６】
容量性素子を含み、前記主スイッチ部の両端間に電気的に接続され、前記交流電源からの供給電力により前記容量性素子を充電し、前記制御部の動作用の制御電圧を生成する電源部と、
前記容量性素子に蓄積されている電気エネルギの大きさを検出する充電検出部と、を更に備え、
前記制御部は、
前記主スイッチ部の動作状態が前記オン状態であるオン期間においては、前記主検出部の検出結果、前記副検出部の検出結果、及び前記充電検出部の検出結果に基づいて、前記主スイッチ部を導通させるタイミングを決定するように構成されている
請求項１〜５のいずれか１項に記載の電子スイッチ装置。
【請求項７】
請求項１〜６のいずれか１項に記載の電子スイッチ装置からなる親器と、
前記操作装置からなる子器と、を備える
電子スイッチシステム。
【請求項８】
前記子器は、前記一対の操作端子間において、前記接点部と電気的に並列に接続され、前記主スイッチ部の動作状態が前記オフ状態である場合に発光する発光素子を更に有する
請求項７に記載の電子スイッチシステム。
【発明の詳細な説明】
【技術分野】
【０００１】
本発明は、一般に電子スイッチ装置及び電子スイッチシステムに関し、より詳細には、交流電源と負荷との間に電気的に接続されるスイッチ部を備える電子スイッチ装置及び電子スイッチシステムに関する。
【背景技術】
【０００２】
従来、人体から放射される熱線を検出して、負荷をオン／オフさせる電子スイッチ装置（熱線センサ付自動スイッチ）が知られている（例えば、特許文献１参照）。特許文献１に記載の電子スイッチ装置は、接続端子間に、カレントトランスの１次巻線と、全波整流器と、負荷への電源供給をオン／オフ制御する双方向サイリスタを有する負荷制御回路とが直列に接続されている。
【０００３】
また、特許文献１に記載の電子スイッチ装置では、全波整流器の直流出力端子間には、電源回路が接続される。電源回路は、制御用ＩＣ（Integrated Circuit）用の制御電源（動作電源）を生成する定電圧回路に、負荷の非通電時に電源供給する。また、負荷の通電時には、カレントトランスの２次巻線に流れる電流により、補助電源回路が定電圧回路に電源供給する。
【先行技術文献】
【特許文献】
【０００４】
【特許文献１】特開２０００−１３１４５６号公報
【発明の概要】
【発明が解決しようとする課題】
【０００５】
ところで、この種の電子スイッチ装置において、電子スイッチ装置を別体の操作装置と電気的に接続することで、操作装置に設けた接点部のオン／オフによっても、負荷への電力供給（電源供給）をオン／オフ制御可能とすることが提案されている。しかし、この場合、電子スイッチ装置にて、フォトカプラ等を用いた電流検出回路にて操作装置に流れる電流を検出することで、操作装置の接点部のオン／オフを検出する必要があり、電流検出回路の小型化が困難である。
【０００６】
本発明は上記事由に鑑みてなされており、操作装置の接点部のオン／オフを検出可能としながらも小型化を図ることができる電子スイッチ装置及び電子スイッチシステムを提供することを目的とする。
【課題を解決するための手段】
【０００７】
本発明の一態様に係る電子スイッチ装置は、主スイッチ部と、一対の操作端子と、制御部と、主検出部と、副検出部と、を備える。前記主スイッチ部は、交流電源と負荷との間に電気的に接続され、前記交流電源と前記負荷との間の導通／非導通を切り替える。前記一対の操作端子は、操作装置を接続するための端子である。前記操作装置は、前記交流電源と前記負荷との間において前記主スイッチ部と電気的に並列に接続される接点部を有する。前記制御部は、前記接点部のオン／オフに応じて、前記交流電源から前記負荷への電力供給を行うオン状態と、前記交流電源から前記負荷への電力供給を遮断するオフ状態との間で、前記主スイッチ部の動作状態を切り替えるように前記主スイッチ部を制御する。前記主検出部は、前記主スイッチ部の両端間の電圧の大きさを検出する。前記副検出部は、前記一対の操作端子間の電圧の大きさを検出する。前記制御部は、前記主検出部の検出結果と前記副検出部の検出結果との相対的な関係に基づいて、前記接点部のオン／オフを検出するように構成されている。
【０００８】
本発明の一態様に係る電子スイッチシステムは、前記電子スイッチ装置からなる親器と、前記操作装置からなる子器と、を備える。
【発明の効果】
【０００９】
本発明は、操作装置の接点部のオン／オフを検出可能としながらも小型化を図ることができる、という利点がある。
【図面の簡単な説明】
【００１０】
【図１】図１は、本発明の一実施形態に係る電子スイッチシステムの構成を示す概略回路図である。
【図２】図２Ａは、同上の電子スイッチシステムの主スイッチ部の動作状態がオフ状態にある場合の動作を示す説明図であり、図２Ｂは、同上の電子スイッチシステムの主スイッチ部の動作状態がオン状態にある場合の動作を示す説明図である。
【図３】図３は、同上の電子スイッチシステムの主スイッチ部の動作状態がオフ状態からオン状態に切り替わる際の動作を示すタイミングチャートである。
【図４】図４は、同上の電子スイッチシステムの主スイッチ部の動作状態がオン状態からオフ状態に切り替わる際の動作を示すタイミングチャートである。
【発明を実施するための形態】
【００１１】
（１）概要
以下、本発明の一実施形態に係る電子スイッチ装置１及び電子スイッチシステム１０の概要について説明する。本実施形態に係る電子スイッチ装置１は、図１に示すように、交流電源１１と負荷１２との間に電気的に接続され、交流電源１１から負荷１２への通電状態を切り替える配線器具である。電子スイッチ装置１は、例えば住宅の壁等に取り付けられる。交流電源１１は、例えば、単相１００〔Ｖ〕、６０〔Ｈｚ〕の商用電源である。負荷１２は、例えば、ＬＥＤ（Light Emitting Diode）を有する光源と、光源を点灯させる点灯回路と、を備える照明装置である。この負荷１２では、交流電源１１からの電力供給時に光源が点灯する。
【００１２】
図１に示す例では、電子スイッチ装置１、及び操作装置９にて、電子スイッチシステム１０が構成されている。つまり、電子スイッチシステム１０は、電子スイッチ装置１と、操作装置９と、を備えている。電子スイッチシステム１０において、電子スイッチ装置１は「親器」として機能し、操作装置９は「子器」として機能する。
【００１３】
電子スイッチ装置１は、例えば、双方向サイリスタ及びトランジスタ等の半導体スイッチからなる主スイッチ部Ｑ１を備えている。電子スイッチ装置１は、主スイッチ部Ｑ１を電子的に制御することにより、交流電源１１と負荷１２との間の導通／非導通を電子的に切り替える。つまり、電子スイッチ装置１は、交流電源１１と負荷１２との間に電気的に接続されるスイッチ部（主スイッチ部Ｑ１）を備えている。
【００１４】
本実施形態では、電子スイッチ装置１は、２本の配線を接続可能な、いわゆる片切スイッチである。電子スイッチ装置１は、２つの接続端子１０１，１０２を備えている。図１の例では、接続端子（第１接続端子）１０１は、交流電源１１に接続されている。また、接続端子（第２接続端子）１０２は、操作装置９を介して負荷１２に接続されている。
【００１５】
電子スイッチ装置１において、主スイッチ部Ｑ１は、接続端子１０１と接続端子１０２との間に接続されている。言い換えれば、電子スイッチ装置１の内部において、接続端子１０１と接続端子１０２とは、主スイッチ部Ｑ１を介して電気的に接続されている。したがって、主スイッチ部Ｑ１の動作状態がオン状態にあれば、接続端子１０１と接続端子１０２との間が主スイッチ部Ｑ１を介して導通する。また、主スイッチ部Ｑ１の動作状態がオフ状態にあれば、接続端子１０１と接続端子１０２との間が非導通となる。つまり、電子スイッチ装置１の主スイッチ部Ｑ１が導通していれば、交流電源１１と負荷１２との間が導通し、電子スイッチ装置１を介して、交流電源１１から負荷１２に電力供給される。本実施形態では、主スイッチ部Ｑ１のオン状態とは、主スイッチ部Ｑ１が連続的に導通している状態だけではなく、主スイッチ部Ｑ１が間欠的に導通している状態を含む。つまり、主スイッチ部Ｑ１のオン状態とは、交流電源１１から負荷１２への電力供給が行われる状態であり、主スイッチ部Ｑ１のオフ状態とは、交流電源１１から負荷１２への電力供給が遮断される状態である。
【００１６】
また、電子スイッチ装置１は、操作装置９を接続するための一対の操作端子１０３，１０４を更に備えている。本実施形態では、一対の操作端子１０３，１０４のうち一方の操作端子１０４は、一対の接続端子１０１，１０２のうち一方の接続端子１０２と兼用されている。つまり、電子スイッチ装置１は、３つの端子を備えており、そのうちの１つが、接続端子１０２と操作端子１０４とを兼ねている。
【００１７】
操作装置９は、例えば、押釦スイッチの接点からなる接点部９１を備えている。また、操作装置９は、３つの子器側端子９０１，９０２，９０３を備えている。子器側端子（第１子器側端子）９０１は、電子スイッチ装置１の操作端子１０３に接続されている。子器側端子（第２子器側端子）９０２は、電子スイッチ装置１の操作端子１０４（接続端子１０２）に接続されている。
【００１８】
操作装置９において、接点部９１は、子器側端子９０１と子器側端子９０２との間に接続されている。言い換えれば、操作装置９の内部において、子器側端子９０１と子器側端子９０２とは、接点部９１を介して電気的に接続されている。したがって、接点部９１がオンであれば、子器側端子９０１と子器側端子９０２との間が接点部９１を介して導通する。また、接点部９１がオフであれば、子器側端子９０１と子器側端子９０２との間が非導通となる。つまり、操作装置９の接点部９１がオンであれば、電子スイッチ装置１における一対の操作端子１０３，１０４間が導通する。
【００１９】
また、操作装置９の内部において、子器側端子９０２と子器側端子９０３とは、直接的に接続されており、子器側端子９０３は子器側端子９０２の送り端子である。子器側端子９０３は、負荷１２に接続されている。これにより、電子スイッチ装置１の接続端子１０１は、主スイッチ部Ｑ１、接続端子１０２、子器側端子９０２、及び子器側端子９０３を介して、負荷１２に接続される。
【００２０】
電子スイッチ装置１は、一対の操作端子１０３，１０４間に接続された、操作装置９の接点部９１のオン／オフに応じて、主スイッチ部Ｑ１の動作状態を切り替えるように主スイッチ部Ｑ１を制御する。すなわち、操作装置９において、例えば、押釦スイッチが押されて接点部９１がオンする度に、主スイッチ部Ｑ１のオン状態と、オフ状態とが切り替わる。
【００２１】
要するに、電子スイッチシステム１０では、電子スイッチ装置１による主スイッチ部Ｑ１のオン状態／オフ状態の切り替えは、例えば、センサ部６（図１参照）等の出力に基づいて電子スイッチ装置１自身が行うのみならず、操作装置９によっても可能である。したがって、電子スイッチ装置１と操作装置９とが、例えば、建物における階段の上階部分と下階部分との２箇所に分かれて設置されることにより、負荷１２への通電状態を、２箇所で切り替えることが可能である。
【００２２】
（２）構成
（２．１）電子スイッチ装置の構成
以下、電子スイッチシステム１０の親器である電子スイッチ装置１の構成について図１を用いて詳細に説明する。
【００２３】
電子スイッチ装置１は、図１に示すように、主スイッチ部Ｑ１、２つの接続端子１０１，１０２、及び一対の操作端子１０３，１０４に加えて、補助スイッチ部Ｑ２、整流器２、主検出部３、電源部４、制御部５、及びセンサ部６を備えている。本実施形態に係る電子スイッチ装置１は、充電検出部７、副検出部８、抵抗Ｒ１，Ｒ２，Ｒ３，Ｒ４，Ｒ５、及びダイオードＤ１を更に備えている。２つの接続端子１０１，１０２の各々は、配線が電気的かつ機械的に接続される部品である。これらの電子スイッチ装置１の構成部品（主スイッチ部Ｑ１及び接続端子１０１，１０２等）は、１つの筐体に収納されている。電子スイッチ装置１は、筐体が壁等に固定されることで、壁等に取り付けられる。本実施形態における「接続端子」等の「端子」は、電源線を接続するための部品（端子）でなくてもよく、例えば、電子部品のリード、又は回路基板に含まれる導体の一部であってもよい。
【００２４】
主スイッチ部Ｑ１は、交流電源１１と負荷１２との間に電気的に接続され、交流電源１１と負荷１２との間の導通／非導通を切り替える。本実施形態では、主スイッチ部Ｑ１は、３端子の双方向サイリスタ（トライアック）にて構成されている。主スイッチ部Ｑ１は、接続端子１０１と接続端子１０２との間に電気的に接続されており、接続端子１０１と接続端子１０２との間における双方向の電流の通過／遮断を切り替える。主スイッチ部Ｑ１の制御端子（双方向サイリスタのゲート端子）は、整流器２の交流入力端子に電気的に接続されている。また、主スイッチ部Ｑ１の制御端子は、抵抗Ｒ１を介して接続端子１０２に電気的に接続されている。
【００２５】
補助スイッチ部Ｑ２は、整流器２と電源部４との間に電気的に接続され、整流器２の直流出力端子間の導通／非導通を切り替える。本実施形態では、補助スイッチ部Ｑ２は、エンハンスメント形のｎチャネルＭＯＳＦＥＴ（Metal-Oxide-Semiconductor Field Effect Transistor）にて構成されている。補助スイッチ部Ｑ２のドレイン端子は、整流器２の高電位側の直流出力端子に電気的に接続されている。補助スイッチ部Ｑ２のソース端子は、整流器２の低電位側の直流出力端子（グランド）に電気的に接続されている。補助スイッチ部Ｑ２は、後述するように、ゲート端子に制御部５からの制御信号（第１制御信号）ＣＳ１が入力されることにより制御される。図１では、補助スイッチ部Ｑ２を、接点を有するメカニカルスイッチと同様の回路記号で表記している。
【００２６】
ここで、補助スイッチ部Ｑ２が非導通であれば、主スイッチ部Ｑ１の制御端子に十分な大きさの制御電圧（ゲート電圧）が印加されず、主スイッチ部Ｑ１は非導通になる。一方、補助スイッチ部Ｑ２が導通していれば、補助スイッチ部Ｑ２及び整流器２を介して抵抗Ｒ１に電流が流れることにより、主スイッチ部Ｑ１の制御端子に十分な大きさの制御電圧が印加され、主スイッチ部Ｑ１が導通する。
【００２７】
整流器２は、ダイオードブリッジからなる。整流器２は、主スイッチ部Ｑ１の両端間に印加される電圧（以下、「スイッチ間電圧Ｖｓｗ」ともいう）を、全波整流して、電源部４に出力する。そのため、電源部４は、整流器２の直流出力端子間に接続されている。電源部４は、整流器２から入力される全波整流後の電力を用いて、例えば制御部５及びセンサ部６の駆動等に必要な「制御電圧」を生成する。
【００２８】
以下では、主スイッチ部Ｑ１が非導通の状態で、主スイッチ部Ｑ１には交流電源１１から交流電圧Ｖａｃ（図１参照）が印加されることと仮定する。つまり、主スイッチ部Ｑ１が非導通であれば、スイッチ間電圧Ｖｓｗは交流電源１１からの交流電圧Ｖａｃと略等しくなる。また、以下では、接続端子１０１が高電位となる交流電圧Ｖａｃ及びスイッチ間電圧Ｖｓｗの極性を「正極性」、接続端子１０２が高電位となる交流電圧Ｖａｃ及びスイッチ間電圧Ｖｓｗの極性を「負極性」という。
【００２９】
主検出部３は、スイッチ間電圧Ｖｓｗの大きさを検出することで、スイッチ間電圧Ｖｓｗのゼロクロスを検出するように構成されている。また、主検出部３は、検出信号を制御部５に出力するように構成されている。本実施形態に係る電子スイッチ装置１は、主検出部３として、第１検出部３１と、第２検出部３２と、を有している。つまり、本実施形態では、主検出部３は２つである。また、本実施形態では、検出信号も２つ（検出信号（第１検出信号）Ｓ１、検出信号（第２検出信号）Ｓ２）である。
【００３０】
第１検出部３１は、接続端子１０１に電気的に接続されている。第１検出部３１は、接続端子１０１−グランド（基準電位点）間電圧の大きさと基準値（例えば、１２〔Ｖ〕）とを比較することにより、スイッチ間電圧Ｖｓｗが負極性から正極性に切り替わる際のゼロクロスを検出する。第１検出部３１は、検出結果を表す検出信号Ｓ１を制御部５に出力している。検出信号Ｓ１の信号レベルは、接続端子１０１−グランド間電圧の大きさが基準値未満のときにＨレベル（High level）となり、接続端子１０１−グランド間電圧の大きさが基準値以上のときにＬレベル（Low level）となる。
【００３１】
第２検出部３２は、接続端子１０２に電気的に接続されている。第２検出部３２は、接続端子１０２−グランド間電圧の大きさと基準値（例えば、１２〔Ｖ〕）とを比較することにより、スイッチ間電圧Ｖｓｗが正極性から負極性に切り替わる際のゼロクロスを検出する。第２検出部３２は、検出結果を表す検出信号Ｓ２を制御部５に出力している。検出信号Ｓ２の信号レベルは、接続端子１０２−グランド間電圧の大きさが基準値未満のときにＨレベルとなり、接続端子１０２−グランド間電圧の大きさが基準値以上のときにＬレベルとなる。
【００３２】
すなわち、第１検出部３１は、正極性のスイッチ間電圧Ｖｓｗの大きさが基準値未満の状態から基準値以上の状態に移行したことを検出すると、ゼロクロスと判断し、検出信号Ｓ１の信号レベルをＬレベルとする。同様に、第２検出部３２は、負極性のスイッチ間電圧Ｖｓｗの大きさが基準値未満の状態から基準値以上の状態に移行したことを検出すると、ゼロクロスと判断し、検出信号Ｓ２の信号レベルをＬレベルとする。したがって、第１検出部３１及び第２検出部３２で検出されるゼロクロスの検出点は、厳密な意味でのゼロクロス（０〔Ｖ〕）から少し時間が遅れることになる。
【００３３】
電源部４は、整流器２の直流出力端子間において、補助スイッチ部Ｑ２と電気的に並列に接続されている。電源部４は、交流電源１１からの供給電力により制御電圧を生成するように構成されている。そのため、主スイッチ部Ｑ１及び補助スイッチ部Ｑ２が非導通の状態にある場合、電源部４には、全波整流されたスイッチ間電圧Ｖｓｗ、つまり整流器２から出力される脈流電圧が印加される。電源部４は、例えば、入力電圧（スイッチ間電圧Ｖｓｗ）を降圧するドロッパ回路と、ドロッパ回路の出力にて充電される容量性素子Ｃ１（コンデンサ）と、を有している。すなわち、電源部４は、主スイッチ部Ｑ１の両端間に電気的に接続されており、交流電源１１からの供給電力により容量性素子Ｃ１を充電し、制御部５の動作用の制御電圧を生成する。容量性素子Ｃ１の両端電圧は、例えば、レギュレータにて降圧され、制御電圧として制御部５等に出力される。
【００３４】
また、接続端子１０１と操作端子１０３との間には、抵抗Ｒ２、抵抗Ｒ３、及びダイオードＤ１の直列回路からなる第１経路と、抵抗Ｒ４及び抵抗Ｒ５の直列回路からなる第２経路とが、電気的に並列に接続されている。ダイオードＤ１のアノード端子は、抵抗Ｒ２及び抵抗Ｒ３を介して接続端子１０１に電気的に接続されている。ダイオードＤ１のカソード端子は操作端子１０３に電気的に接続されている。
【００３５】
制御部５は、例えば、マイクロコンピュータを主構成として備えている。マイクロコンピュータは、マイクロコンピュータのメモリに記録されているプログラムをＣＰＵ（Central Processing Unit）で実行することにより、制御部５としての機能を実現する。プログラムは、予めマイコンのメモリに記録されていてもよいし、メモリカードのような記録媒体に記録されて提供されたり、電気通信回線を通して提供されたりしてもよい。言い換えれば、上記プログラムは、マイクロコンピュータを、制御部５として機能させるためのプログラムである。
【００３６】
制御部５は、電源部４から、制御電圧の供給を受けて動作する。制御部５は、補助スイッチ部Ｑ２を制御することで、主スイッチ部Ｑ１を間接的に制御する機能を備えている。具体的には、制御部５は、センサ部６の検出結果に基づいて、補助スイッチ部Ｑ２の制御端子（ゲート端子）に制御信号ＣＳ１を出力することにより、補助スイッチ部Ｑ２の導通／非導通を切り替えるように、補助スイッチ部Ｑ２を制御する。補助スイッチ部Ｑ２の導通／非導通が切り替わると、上述したように、主スイッチ部Ｑ１の導通／非導通が切り替わる。また、制御部５は、補助スイッチ部Ｑ２を導通させる場合、つまり主スイッチ部Ｑ１を導通させる場合、主検出部３から出力される検出信号（検出信号Ｓ１，Ｓ２）等に基づいて、制御信号ＣＳ１の信号レベルをＨレベルにするタイミングを決定する。制御部５には補助スイッチ部Ｑ２を駆動するための駆動回路が含まれており、制御部５は直接的に補助スイッチ部Ｑ２を制御する。
【００３７】
本実施形態では、制御部５は、タイマ５１としての機能を有している。タイマ５１は、主検出部３の検出値（スイッチ間電圧Ｖｓｗの大きさ）が基準値に達した時点からの経過時間を計測する。つまり、タイマ５１は、検出信号Ｓ１，Ｓ２の信号レベルがＬレベルになった時点からの経過時間を計測するように構成されている。
【００３８】
センサ部６は、検知エリアに人が存在するか否かを検知する。センサ部６は、例えば、焦電素子を含んでおり、人体から放出される赤外線を検出することによって、検知エリアに人が存在するか否かを判断する。センサ部６は、検知エリアに人が存在することを検知すると、主スイッチ部Ｑ１をオン状態とするためのオン制御指示を、制御部５に出力する。
【００３９】
充電検出部７は、容量性素子Ｃ１に蓄積されている電気エネルギの大きさを検出する。本実施形態では、充電検出部７は、容量性素子Ｃ１の両端電圧の大きさを検出するように構成されている。充電検出部７は、例えば、容量性素子Ｃ１の両端間に接続された分圧抵抗、及びコンパレータを含み、容量性素子Ｃ１の両端電圧と充電閾値との比較結果を表す検出信号Ｓ４として制御部５へ出力する。つまり、充電検出部７は、容量性素子Ｃ１の両端電圧を検出することで、容量性素子Ｃ１に蓄積されている電気エネルギの大きさを、直接的に検出している。検出信号Ｓ４の信号レベルは、容量性素子Ｃ１の両端電圧が充電閾値未満のときにＨレベルとなり、容量性素子Ｃ１の両端電圧が充電閾値以上になった時点から一瞬だけＬレベルとなる。
【００４０】
要するに、容量性素子Ｃ１が十分に充電されており、制御電圧が確保できていれば、検出信号Ｓ４の信号レベルがＬレベルになる。一方、容量性素子Ｃ１が十分に充電されておらず、制御電圧が確保できていなければ、検出信号Ｓ４の信号レベルがＨレベルに維持される。このため、制御部５は、検出信号Ｓ４を監視することで、制御電圧を確保できているか否かを判断することができる。ただし、この構成に限らず、充電検出部７は、例えば、制御部５に印加されている制御電圧を検出することにより、容量性素子Ｃ１に蓄積されている電気エネルギの大きさを、間接的に検出する構成であってもよい。
【００４１】
副検出部８は、一対の操作端子１０３，１０４間の電圧（以下、「操作端子間電圧Ｖｏｐ」ともいう）の大きさを検出する。ここでは、副検出部８は、第１検出部３１と同様の構成からなり、操作端子間電圧Ｖｏｐの大きさを検出することで、操作端子間電圧Ｖｏｐのゼロクロスを検出するように構成されている。また、副検出部８は、検出信号Ｓ３を制御部５に出力するように構成されている。
【００４２】
副検出部８は、ダイオードＤ１のアノード端子に電気的に接続されている。つまり、副検出部８は、ダイオードＤ１を介して操作端子１０３と電気的に接続されている。副検出部８は、操作端子１０３−グランド間電圧の大きさと副基準値（例えば、１０〔Ｖ〕）とを比較することにより、操作端子間電圧Ｖｏｐが負極性から正極性に切り替わる際のゼロクロスを検出する。副検出部８は、検出結果を表す検出信号Ｓ３を制御部５に出力している。検出信号Ｓ３の信号レベルは、操作端子１０３−グランド間電圧の大きさが副基準値未満のときにＨレベルとなり、操作端子１０３−グランド間電圧の大きさが副基準値以上のときにＬレベルとなる。
【００４３】
すなわち、副検出部８は、正極性の操作端子間電圧Ｖｏｐの大きさが副基準値未満の状態から副基準値以上の状態に移行したことを検出すると、ゼロクロスと判断し、検出信号Ｓ３の信号レベルをＬレベルとする。したがって、副検出部８で検出されるゼロクロスの検出点は、厳密な意味でのゼロクロス（０〔Ｖ〕）から少し時間が遅れることになる。
【００４４】
制御部５は、センサ部６からオン制御指示を受けると、主検出部３からの検出信号Ｓ１，Ｓ２、副検出部８からの検出信号Ｓ３、及び充電検出部７からの検出信号Ｓ４に基づいて、補助スイッチ部Ｑ２に与える制御信号ＣＳ１の信号レベルをＨレベルにする。具体的には、制御部５は、交流電圧Ｖａｃの半周期ごとに、主検出部３からの検出信号Ｓ１，Ｓ２、副検出部８からの検出信号Ｓ３、及び充電検出部７からの検出信号Ｓ４に基づいて、補助スイッチ部Ｑ２を所定時間Ｔ３又はＴ４（図４参照）、導通させる。すなわち、制御部５は、検出信号Ｓ１，Ｓ２にてスイッチ間電圧Ｖｓｗのゼロクロスを検出し、かつ検出信号Ｓ３にて操作端子間電圧Ｖｏｐのゼロクロスを検出し、更に検出信号Ｓ４にて制御電圧の確保が確認されると、補助スイッチ部Ｑ２を導通させる。これにより、主スイッチ部Ｑ１が導通する。ここで、主スイッチ部Ｑ１は、上述したように双方向サイリスタからなるので、交流電源１１からの交流電圧Ｖａｃのゼロクロス（０〔Ｖ〕）付近で非導通となる。厳密には、主スイッチ部Ｑ１が導通した後、主スイッチ部Ｑ１を流れる電流が０〔Ａ〕になると主スイッチ部Ｑ１が非導通となるので、負荷１２の種類によっては、交流電圧Ｖａｃのゼロクロスよりも早いタイミングで主スイッチ部Ｑ１が非導通となることもある。
【００４５】
すなわち、制御部５は、主検出部３がスイッチ間電圧Ｖｓｗのゼロクロスを検出するごとに、つまり交流電圧Ｖａｃの略半周期ごとに補助スイッチ部Ｑ２を導通させ、主スイッチ部Ｑ１を導通させる。言い換えれば、制御部５は、主検出部３でスイッチ間電圧Ｖｓｗのゼロクロスを検出すると、所定時間Ｔ３又はＴ４、主スイッチ部Ｑ１に駆動電力が供給されるように補助スイッチ部Ｑ２を制御するように構成されている。本実施形態では、既に述べたように、主検出部３は、第１検出部３１及び第２検出部３２の２つである。したがって、本実施形態では、制御部５は、２つの主検出部３の検出結果のうちの一方の主検出部３の検出結果と他方の主検出部３の検出結果とを交互に用いて補助スイッチ部Ｑ２を制御するように構成されている。つまり、制御部５は、第１検出部３１でスイッチ間電圧Ｖｓｗのゼロクロスを検出して補助スイッチ部Ｑ２を制御する処理と、第２検出部３２でスイッチ間電圧Ｖｓｗのゼロクロスを検出して補助スイッチ部Ｑ２を制御する処理とを交互に実行する。また、制御部５は、主スイッチ部Ｑ１をオフ状態とする場合、補助スイッチ部Ｑ２が非導通となるように補助スイッチ部Ｑ２を制御することにより、主スイッチ部Ｑ１を非導通に維持する。
【００４６】
本実施形態では、補助スイッチ部Ｑ２を導通させる所定時間Ｔ３は、交流電源１１の出力電圧（交流電圧Ｖａｃ）の半周期の約８割の長さの時間である。さらに、所定時間Ｔ４は、所定時間Ｔ３から後述する上限時間Ｔ２（図４参照）を差し引いた長さの時間である。本実施形態では、既に述べたように、交流電源１１の電源周波数は６０〔Ｈｚ〕である。このため、交流電圧Ｖａｃの周期は約１６ｍｓであるので、所定時間Ｔ３は、約６ｍｓである。つまり、本実施形態では、所定時間Ｔ３又はＴ４は、交流電源１１の出力電圧の半周期を基準とした時間である。
【００４７】
（２．２）操作装置の構成
次に、電子スイッチシステム１０の子器である操作装置９の構成について図１を用いて詳細に説明する。
【００４８】
操作装置９は、図１に示すように、接点部９１及び３つの子器側端子９０１，９０２，９０３に加えて、発光素子９２、ダイオードＤ２，Ｄ３、抵抗Ｒ６，Ｒ７、及び容量性素子Ｃ２を備えている。これらの接点部９１、３つの子器側端子９０１，９０２，９０３、発光素子９２、ダイオードＤ２，Ｄ３、抵抗Ｒ６，Ｒ７、及び容量性素子Ｃ２は、１つの筐体に収納されている。操作装置９は、操作装置９の筐体が壁等に固定されることで、壁等に取り付けられる。
【００４９】
接点部９１は、子器側端子９０１と子器側端子９０２との間において、ダイオードＤ２と電気的に直列に接続されている。ダイオードＤ２のアノード端子は、接点部９１を介して子器側端子９０１に接続されている。ダイオードＤ２のカソード端子は、子器側端子９０２に電気的に接続されている。本実施形態では、接点部９１は、ノーマリオープン（常開型）でモーメンタリ型の押釦スイッチの接点からなる。そのため、操作装置９においては、押釦スイッチがユーザに押されている間、接点部９１がオンして、子器側端子９０１と子器側端子９０２との間が、ダイオードＤ２を介して導通する。
【００５０】
子器側端子９０１は、電子スイッチ装置１の操作端子１０３に接続されている。子器側端子９０２は、電子スイッチ装置１の操作端子１０４（接続端子１０２）に接続されている。子器側端子９０１，９０２は、電線によって操作端子１０３，１０４に接続されている。また、子器側端子９０２の送り端子である子器側端子９０３は、負荷１２に接続されている。したがって、接点部９１がオンの状態では、電子スイッチ装置１における一対の操作端子１０３，１０４間が導通する。
【００５１】
また、子器側端子９０１と子器側端子９０２との間には、ＬＥＤからなる発光素子９２が電気的に接続されている。発光素子９２は、一対の操作端子１０３，１０４間において、接点部９１と電気的に並列に接続され、電子スイッチ装置１の状態を表す表示器として機能する。ここでは、発光素子９２は、電子スイッチ装置１の主スイッチ部Ｑ１の動作状態がオフ状態にある場合に発光する。発光素子９２のカソード端子は、抵抗Ｒ６を介して子器側端子９０１に電気的に接続されている。発光素子９２のアノード端子は、ダイオードＤ３を介して子器側端子９０２に電気的に接続されている。発光素子９２の両端間には、抵抗Ｒ７及び容量性素子Ｃ２の並列回路が電気的に接続されている。ここで、発光素子９２及びダイオードＤ３は、子器側端子９０１及び子器側端子９０２間において、ダイオードＤ２と逆並列の関係になる。
【００５２】
（３）動作
次に、上述した電子スイッチ装置１及び操作装置９を備える、電子スイッチシステム１０の動作について説明する。以下ではまず、電子スイッチシステム１０の基本動作について説明する。その後、操作装置９が操作されることにより、主スイッチ部Ｑ１の動作状態がオフ状態からオン状態に移行する際の動作、及び操作装置９が操作されることにより、主スイッチ部Ｑ１の動作状態がオン状態からオフ状態に移行する際の動作について説明する。
【００５３】
（３．１）基本動作
まず、電子スイッチ装置１の主スイッチ部Ｑ１の動作状態がオン状態、又はオフ状態にある場合における、電子スイッチシステム１０の基本動作について、図２Ａ及び図２Ｂを参照して説明する。
【００５４】
主スイッチ部Ｑ１の動作状態がオフ状態にあれば、図２Ａに示すように、接続端子１０１と接続端子１０２との間の主スイッチ部Ｑ１が非導通となるため、交流電源１１から負荷１２への電力供給は電子スイッチ装置１にて遮断される。そのため、負荷１２が照明装置である場合には、負荷１２は消灯する。この状態においては、操作装置９の発光素子９２を通る経路で、交流電源１１からの電流Ｉ１が流れるため、発光素子９２が発光する。このとき、発光素子９２を流れる電流Ｉ１は、図２Ａに示すように、電子スイッチ装置１の接続端子１０１−操作端子１０３間を、抵抗Ｒ４，Ｒ５を通して流れる。
【００５５】
一方、主スイッチ部Ｑ１の動作状態がオン状態にあれば、図２Ｂに示すように、接続端子１０１と接続端子１０２との間が主スイッチ部Ｑ１により導通するため、電子スイッチ装置１を介して、交流電源１１から負荷１２に電力供給される。そのため、負荷１２が照明装置である場合には、負荷１２は点灯する。この状態においては、負荷１２を流れる電流Ｉ１は、図２Ｂに示すように、電子スイッチ装置１の接続端子１０１−接続端子１０２間を、主スイッチ部Ｑ１を通して流れる。このとき、主スイッチ部Ｑ１が導通することで、スイッチ間電圧Ｖｓｗが小さく抑えられるため、操作装置９の発光素子９２には微小電流が流れるだけであり、発光素子９２は発光しない。
【００５６】
上述したような主スイッチ部Ｑ１の動作状態（オン状態／オフ状態）は、基本的には、センサ部６の出力に基づいて電子スイッチ装置１自身が切り替える。例えば、検知エリアに人が存在しない場合には、制御部５は、主スイッチ部Ｑ１の動作状態をオフ状態とする。一方、例えば、センサ部６が検知エリアに人が存在することを検知すると、制御部５にオン制御指示が入力され、制御部５は、主スイッチ部Ｑ１の動作状態をオン状態とする。
【００５７】
（３．２）オフ状態からオン状態への移行動作
次に、操作装置９が操作されることにより、主スイッチ部Ｑ１の動作状態がオフ状態からオン状態に移行する際の、電子スイッチシステム１０の動作について、図３を参照して説明する。
【００５８】
図３は、横軸を時間軸とするタイミングチャートである。図３は、上段から順に、交流電源１１の交流電圧「Ｖａｃ」、第１検出部３１の検出信号「Ｓ１」、副検出部８の検出信号「Ｓ３」、第２検出部３２の検出信号「Ｓ２」、補助スイッチ部Ｑ２の状態（導通／非導通）を示す。図３において、補助スイッチ部Ｑ２の状態を表す「Ｑ２」については、「ＯＮ」が導通を表し、「ＯＦＦ」が非導通を表す。
【００５９】
主スイッチ部Ｑ１がオフ状態にある期間（以下、「オフ期間Ｔｏｆｆ」ともいう）においては、制御部５は、制御信号ＣＳ１の信号レベルをＬレベルに維持することにより、補助スイッチ部Ｑ２を非導通に維持する。これにより、主スイッチ部Ｑ１が非導通の状態を維持するため、主スイッチ部Ｑ１の動作状態はオフ状態である。
【００６０】
オフ期間Ｔｏｆｆにおいては、交流電圧Ｖａｃのゼロクロスが、主検出部３にて周期的に検出される。すなわち、主スイッチ部Ｑ１の動作状態がオフ状態であれば、スイッチ間電圧Ｖｓｗは交流電圧Ｖａｃと略等しいため、交流電圧Ｖａｃのゼロクロス（０〔Ｖ〕）付近において、主検出部３の検出信号Ｓ１，Ｓ２の信号レベルが切り替わる。
【００６１】
例えば、図３において、時点ｔ１では、負極性のスイッチ間電圧Ｖｓｗの大きさが基準値未満になるため、検出信号Ｓ２の信号レベルがＬレベルからＨレベルになる。時点ｔ２では、正極性のスイッチ間電圧Ｖｓｗの大きさが基準値以上になるため、第１検出部３１がスイッチ間電圧Ｖｓｗの負極性から正極性に切り替わる際のゼロクロスを検出し、検出信号Ｓ１の信号レベルがＨレベルからＬレベルになる。時点ｔ３では、正極性のスイッチ間電圧Ｖｓｗの大きさが基準値未満になるため、検出信号Ｓ１の信号レベルがＬレベルからＨレベルになる。時点ｔ４では、負極性のスイッチ間電圧Ｖｓｗの大きさが基準値以上になるため、第２検出部３２がスイッチ間電圧Ｖｓｗの正極性から負極性に切り替わる際のゼロクロスを検出し、検出信号Ｓ２の信号レベルがＨレベルからＬレベルになる。
【００６２】
オフ期間Ｔｏｆｆにおいて、操作装置９の押釦スイッチが操作されておらず接点部９１がオフであれば、副検出部８の検出信号Ｓ３は、第１検出部３１の検出信号Ｓ１に略同期する。すなわち、副検出部８は、第１検出部３１と同様に、例えば、時点ｔ２にて、操作端子間電圧Ｖｏｐの負極性から正極性に切り替わる際のゼロクロスを検出し、検出信号Ｓ３の信号レベルがＨレベルからＬレベルになる。
【００６３】
一方、オフ期間Ｔｏｆｆにおいて、時点ｔ５にて操作装置９の押釦スイッチが操作されて接点部９１がオンになると、副検出部８の検出信号Ｓ３は、第１検出部３１の検出信号Ｓ１に同期しなくなる。すなわち、接点部９１がオンしている期間Ｔ１０には、子器側端子９０１と子器側端子９０２との間がダイオードＤ２を介して導通するため、一対の操作端子１０３，１０４間が短絡し、操作端子間電圧Ｖｏｐが略ゼロになる。したがって、接点部９１がオンしている期間Ｔ１０において、副検出部８からの検出信号Ｓ３の信号レベルはＨレベルに固定される。
【００６４】
そこで、制御部５は、オフ期間Ｔｏｆｆにおいて、主検出部３の検出結果（検出信号Ｓ１，Ｓ２）と副検出部８の検出結果（検出信号Ｓ３）との相対的な関係に基づいて、接点部９１のオン／オフを検出する。ここでいう「相対的な関係」は、例えば、主検出部３の検出結果と、副検出部８の検出結果とを比較した結果、両者が一致するか否かである。例えば、副検出部８の検出結果（操作端子間電圧Ｖｏｐのゼロクロス）が、主検出部３における第１検出部３１の検出結果（スイッチ間電圧Ｖｓｗのゼロクロス）に、略同期している場合には、両者が一致していると判断される。ここでいう「略同期」には、主検出部３における第１検出部３１の検出結果（スイッチ間電圧Ｖｓｗのゼロクロス）から、副検出部８の検出結果（操作端子間電圧Ｖｏｐのゼロクロス）までの時間遅れが、所定時間以内である場合を含む。
【００６５】
要するに、接点部９１がオフしている期間には、検出信号Ｓ１の信号レベルがＨレベルからＬレベルになると、これに同期して検出信号Ｓ３の信号レベルもＨレベルからＬレベルになるため、両検出信号Ｓ１，Ｓ３の信号レベルは略一致する（時点ｔ２）。一方、接点部９１がオンしている期間Ｔ１０には、検出信号Ｓ１の信号レベルがＨレベルからＬレベルになっても、検出信号Ｓ３の信号レベルはＨレベルを維持しているため、両検出信号Ｓ１，Ｓ３の信号レベルは一致しない（時点ｔ６，ｔ８，ｔ１０）。よって、基本的には、制御部５は、両検出信号Ｓ１，Ｓ３の信号レベルが一致する場合に接点部９１がオフであると判断し、両検出信号Ｓ１，Ｓ３の信号レベルが一致しない場合に接点部９１がオンであると判断する。
【００６６】
具体的には、制御部５は、タイマ５１で計測される経過時間、つまり主検出部３の検出値が基準値に達した時点からの経過時間が、所定の待機時間Ｔ１に達するまでの期間に、副検出部８の検出値が副基準値に達した場合、接点部９１がオフであると判断する。一方、経過時間が待機時間Ｔ１に達するまでの期間に、副検出部８の検出値が副基準値に達しない場合、接点部９１がオンであると判断する。すなわち、図３に例示するように、検出信号Ｓ１の信号レベルがＬレベルになった時点ｔ２から待機時間Ｔ１が経過するまでに、検出信号Ｓ３の信号レベルがＬレベルになれば、制御部５は、接点部９１がオフであると判断する。一方、検出信号Ｓ１の信号レベルがＬレベルになった時点ｔ６から待機時間Ｔ１が経過した時点ｔ７にて、検出信号Ｓ３の信号レベルがＨレベルであれば、制御部５は、接点部９１がオンであると判断する。これにより、例えば、子器側端子９０１，９０２と操作端子１０３，１０４とを接続する電線間容量等により、検出信号Ｓ１に対して検出信号Ｓ３が遅れた場合でも、制御部５では、検出信号Ｓ１と検出信号Ｓ３とが略一致すると判断可能である。
【００６７】
また、制御部５は、接点部９１がオンであると連続して複数回判断すると、主スイッチ部Ｑ１の動作状態を切り替える。すなわち、制御部５は、接点部９１がオンであると１回判断しただけでは、主スイッチ部Ｑ１の動作状態を切り替えない。本実施形態では一例として、接点部９１がオンであると連続して３回判断した場合に、制御部５は、主スイッチ部Ｑ１の動作状態を切り替えることとする。つまり、図３の例では、時点ｔ６，ｔ７にて１回目、時点ｔ８，ｔ９にて２回目、更に時点ｔ１０，ｔ１１にて３回目の、接点部９１がオンであるとの判断がされたことをもって、制御部５は、接点部９１がオンであるとの判断を確定する。よって、接点部９１がオンであるとの判断は、時点ｔ１１に初めて確定する。
【００６８】
また、制御部５は、接点部９１がオンであるとの判断の確定後、すぐに主スイッチ部Ｑ１の動作状態を切り替えるのではなく、接点部９１がオフになったこと、つまり押釦スイッチの操作の完了を待って、主スイッチ部Ｑ１の動作状態を切り替える。すなわち、ユーザが操作装置９の押釦スイッチを操作する場合、ユーザは、押釦スイッチを適当な時間だけ押した後、押釦スイッチから指を離すことをもって、押釦スイッチの操作を完了する。そこで、制御部５は、接点部９１がオンであるとの判断の確定後、時点ｔ１２で押釦スイッチの操作が完了し、接点部９１がオフであるとの判断が確定して初めて、主スイッチ部Ｑ１の動作状態を切り替える。これにより、例えば、ユーザが押釦スイッチを数秒間押し続けた場合に、主スイッチ部Ｑ１の動作状態がオン状態に切り替わった後、継続的に接点部９１がオンであると判断されることで、主スイッチ部Ｑ１の動作状態がオフ状態に切り替わることを回避できる。
【００６９】
さらに、制御部５は、接点部９１がオンであるとの判断時と同様に、接点部９１がオフであると連続して複数回判断したことをもって、接点部９１がオフであるとの判断を確定する。つまり、図３の例では、時点ｔ１３，ｔ１４にて１回目、時点ｔ１５，ｔ１６にて２回目、更に時点ｔ１７，ｔ１８にて３回目の、接点部９１がオフであるとの判断がされたことをもって、制御部５は、接点部９１がオフであるとの判断を確定する。よって、接点部９１がオフであるとの判断は、時点ｔ１８に初めて確定する。ここでは、制御部５は、接点部９１がオフとの判断の確定後、最初の主検出部３でのゼロクロスの検出タイミングに合わせて、主スイッチ部Ｑ１の動作状態をオフ状態からオン状態に切り替える。図３の例では、時点ｔ１８の直後の時点ｔ１９にて、制御部５が主スイッチ部Ｑ１の動作状態をオン状態に切り替える。
【００７０】
主スイッチ部Ｑ１がオン状態にある期間（以下、「オン期間Ｔｏｎ」ともいう）における、制御部５の動作については、「（３．３）オン状態からオフ状態への移行動作」の欄で説明する。
【００７１】
（３．３）オン状態からオフ状態への移行動作
次に、操作装置９が操作されることにより、主スイッチ部Ｑ１の動作状態がオン状態からオフ状態に移行する際の、電子スイッチシステム１０の動作について、図４を参照して説明する。
【００７２】
図４は、横軸を時間軸とする、図３と同様のタイミングチャートである。ただし、図４では、図３に加えて、第２検出部３２の検出信号「Ｓ２」と、補助スイッチ部Ｑ２の状態（導通／非導通）との間に、充電検出部７の検出信号「Ｓ４」を示している。
【００７３】
主スイッチ部Ｑ１がオン状態にあるオン期間Ｔｏｎにおいては、制御部５は、主検出部３からの検出信号Ｓ１，Ｓ２、副検出部８からの検出信号Ｓ３、及び充電検出部７からの検出信号Ｓ４に基づいて、制御信号ＣＳ１（図１参照）の信号レベルをＨレベルにする。基本的には、制御部５は、交流電圧Ｖａｃの半周期ごとに、主検出部３からの検出信号Ｓ１又はＳ２の信号レベルがＬレベルになることをトリガにして、補助スイッチ部Ｑ２を所定時間Ｔ３又はＴ４、導通させる。これにより、主スイッチ部Ｑ１が間欠的に導通するため、主スイッチ部Ｑ１の動作状態はオン状態である。
【００７４】
すなわち、オン期間Ｔｏｎにおいても、交流電圧Ｖａｃのゼロクロス（０〔Ｖ〕）付近では、主スイッチ部Ｑ１及び補助スイッチ部Ｑ２は、いずれも非導通である。このため、交流電圧Ｖａｃのゼロクロス付近においては、スイッチ間電圧Ｖｓｗが交流電圧Ｖａｃと略等しくなり、主検出部３の検出信号Ｓ１，Ｓ２の信号レベルが切り替わる。
【００７５】
例えば、図４において、時点ｔ１０にて交流電圧Ｖａｃが負極性から正極性に切り替わると、その後の時点ｔ１２にて、第１検出部３１がゼロクロスを検出し、検出信号Ｓ１の信号レベルがＨレベルからＬレベルになる。検出信号Ｓ１の信号レベルがＬレベルになると、制御部５は、所定時間Ｔ３又はＴ４、補助スイッチ部Ｑ２を導通させる。これにより、主スイッチ部Ｑ１が導通する。主スイッチ部Ｑ１が導通している間は、交流電源１１と負荷１２との間が導通し、電子スイッチ装置１を介して、交流電源１１から負荷１２に電力供給される。所定時間Ｔ３又はＴ４が経過すると、制御部５は、補助スイッチ部Ｑ２を非導通にする。ただし、この時点では、交流電圧Ｖａｃがゼロクロスに達していないので、主スイッチ部Ｑ１は導通状態を維持する。同様に、時点ｔ２０にて交流電圧Ｖａｃが正極性から負極性に切り替わると、その後の時点ｔ２２にて、第２検出部３２がゼロクロスを検出し、検出信号Ｓ２の信号レベルがＨレベルからＬレベルになる。検出信号Ｓ２の信号レベルがＬレベルになると、制御部５は、所定時間Ｔ３又はＴ４、補助スイッチ部Ｑ２を導通させる。これにより、主スイッチ部Ｑ１が導通する。
【００７６】
ところで、本実施形態では、制御部５は、オン期間Ｔｏｎにおいて、主検出部３がスイッチ間電圧Ｖｓｗのゼロクロスを検出し、かつ制御電圧が確保できていると充電検出部７が判断した場合に、補助スイッチ部Ｑ２を導通させる制御を実行する。つまり、制御部５は、主検出部３がスイッチ間電圧Ｖｓｗのゼロクロスを検出した時点で、容量性素子Ｃ１が十分に充電されていない場合、容量性素子Ｃ１が十分に充電されるのを待って、補助スイッチ部Ｑ２の制御を実行する。これにより、容量性素子Ｃ１が十分に充電されていない状態で、主スイッチ部Ｑ１が導通することによる制御電圧の不足を抑制できる。
【００７７】
図４の例では、時点ｔ１２においては、直前の時点ｔ１１にて充電検出部７の検出信号Ｓ４の信号レベルがＨレベルからＬレベルになっているため、上述した条件を満たしたと判断し、制御部５は、補助スイッチ部Ｑ２を導通させる制御を実行する。同様に、時点ｔ２２においても、直前の時点ｔ２１にて充電検出部７の検出信号Ｓ４の信号レベルがＨレベルからＬレベルになっているため、制御部５は、補助スイッチ部Ｑ２を導通させる制御を実行する。
【００７８】
また、本実施形態では、制御部５は、オン期間Ｔｏｎにおいて、第１検出部３１の検出信号Ｓ１と共に副検出部８の検出信号Ｓ３を監視し、検出信号Ｓ１と検出信号Ｓ３とが略一致すると判断した場合に、補助スイッチ部Ｑ２を導通させる制御を実行する。要するに、交流電圧Ｖａｃが負極性から正極性に切り替わる際には、第１検出部３１がゼロクロスを検出し、かつ副検出部８がゼロクロスを検出した場合に、制御部５は、補助スイッチ部Ｑ２を導通させる制御を実行する。つまり、制御部５は、第１検出部３１がスイッチ間電圧Ｖｓｗのゼロクロスを検出した時点で、副検出部８が操作端子間電圧Ｖｏｐのゼロクロスを検出していない場合、副検出部８がゼロクロスを検出するのを待って、補助スイッチ部Ｑ２の制御を実行する。
【００７９】
オン期間Ｔｏｎにおいて、操作装置９の押釦スイッチが操作されておらず接点部９１がオフであれば、副検出部８の検出信号Ｓ３は、第１検出部３１の検出信号Ｓ１に略同期する。すなわち、副検出部８は、第１検出部３１と同様に、例えば、時点ｔ１２にて、操作端子間電圧Ｖｏｐの負極性から正極性に切り替わる際のゼロクロスを検出し、検出信号Ｓ３の信号レベルがＨレベルからＬレベルになる。
【００８０】
したがって、オン期間Ｔｏｎにおいて、交流電圧Ｖａｃが負極性から正極性に切り替わる際には、制御部５は、主検出部３の検出信号Ｓ１と、充電検出部７の検出信号Ｓ４と、副検出部８の検出信号Ｓ３と、の全てが揃った場合に、主スイッチ部Ｑ１を導通させる。また、オン期間Ｔｏｎにおいて、交流電圧Ｖａｃが正極性から負極性に切り替わる際には、制御部５は、主検出部３の検出信号Ｓ２と、充電検出部７の検出信号Ｓ４と、の両方が揃った場合に、主スイッチ部Ｑ１を導通させる。
【００８１】
一方、オン期間Ｔｏｎにおいて、図４に示すように、時点ｔ９１にて操作装置９の押釦スイッチが操作されて接点部９１がオンになると、副検出部８の検出信号Ｓ３は、第１検出部３１の検出信号Ｓ１に同期しなくなる。すなわち、接点部９１がオンしている期間Ｔ１０には、子器側端子９０１と子器側端子９０２との間がダイオードＤ２を介して導通するため、一対の操作端子１０３，１０４間が短絡し、操作端子間電圧Ｖｏｐが略ゼロになる。したがって、接点部９１がオンしている期間Ｔ１０（時点ｔ９１−ｔ９２）において、副検出部８からの検出信号Ｓ３の信号レベルはＨレベルに固定される。
【００８２】
そこで、制御部５は、オン期間Ｔｏｎにおいて、主検出部３の検出結果（検出信号Ｓ１，Ｓ２）と副検出部８の検出結果（検出信号Ｓ３）との相対的な関係に基づいて、接点部９１のオン／オフを検出する。要するに、接点部９１がオフしている期間には、検出信号Ｓ１の信号レベルがＨレベルからＬレベルになると、これに同期して検出信号Ｓ３の信号レベルもＨレベルからＬレベルになるため、両検出信号Ｓ１，Ｓ３の信号レベルは略一致する（時点ｔ１２）。一方、接点部９１がオンしている期間Ｔ１０には、検出信号Ｓ１の信号レベルがＨレベルからＬレベルになっても、検出信号Ｓ３の信号レベルはＨレベルを維持しているため、両検出信号Ｓ１，Ｓ３の信号レベルは一致しない（時点ｔ３２，ｔ５２，ｔ７２）。よって、基本的には、制御部５は、両検出信号Ｓ１，Ｓ３の信号レベルが一致する場合に接点部９１がオフであると判断し、両検出信号Ｓ１，Ｓ３の信号レベルが一致しない場合に接点部９１がオンであると判断する。
【００８３】
具体的には、制御部５は、仮想処理を、連続して最大で所定回数まで行うように構成されている。仮想処理では、制御部５は、タイマ５１で計測される経過時間が、所定の上限時間Ｔ２に達するまでの期間に、副検出部８の検出値が副基準値に達しなければ、経過時間が上限時間Ｔ２に達した時点で、副検出部８の検出値が副基準値に達したことと判断する。上限時間Ｔ２は、待機時間Ｔ１と同じ長さの時間であってもよいし、待機時間Ｔ１と異なる長さの時間であってもよい。すなわち、図４のように、検出信号Ｓ１の信号レベルがＬレベルになった時点ｔ３２から上限時間Ｔ２が経過した時点ｔ３３において、検出信号Ｓ３の信号レベルがＬレベルにならなければ、制御部５は、検出信号Ｓ３の信号レベルがＬレベルになったと判断する。要するに、仮想処理により、時点ｔ３３において、実際には検出信号Ｓ３の信号レベルがＨレベルであるにもかかわらず、制御部５は、仮想的に、検出信号Ｓ３の信号レベルがＬレベルになったと判断する。このように、仮想処理において、制御部５は、検出信号Ｓ１の信号レベルがＬレベルになった時点ではなく、上限時間Ｔ２が経過するのを待って、検出信号Ｓ３の信号レベルがＬレベルになったと判断する。これにより、例えば、子器側端子９０１，９０２と操作端子１０３，１０４とを接続する電線間容量等により、検出信号Ｓ１に対して検出信号Ｓ３が遅れた場合でも、制御部５では、検出信号Ｓ１と検出信号Ｓ３とが略一致すると判断可能である。
【００８４】
仮想処理が実行された場合には、検出信号Ｓ１の信号レベルがＬレベルになった時点ｔ３２から、上限時間Ｔ２だけ遅れて、検出信号Ｓ３の信号レベルがＬレベルになる。そのため、制御部５が、補助スイッチ部Ｑ２を導通させる制御についても、その開始時点が、検出信号Ｓ１の信号レベルがＬレベルになった時点ｔ３２から上限時間Ｔ２だけ遅れることになり、結果的に、主スイッチ部Ｑ１を導通できる時間が短くなる。そこで、仮想処理が実行された場合には、制御部５は、検出信号Ｓ３の信号レベルがＬレベルになったと判断された時点から、所定時間Ｔ３よりも短い所定時間Ｔ４だけ、補助スイッチ部Ｑ２を導通させる。所定時間Ｔ４は、例えば、所定時間Ｔ３から上限時間Ｔ２を差し引いた長さの時間である。
【００８５】
このような仮想処理が、連続して最大で所定回数（図４の例では３回）まで実行される。すなわち、図４の例では、時点ｔ３３にて１回目、時点ｔ５３にて２回目、更に時点ｔ７３にて３回目の、仮想処理が行われる。したがって、接点部９１がオンしている期間Ｔ１０においても、連続して最大で所定回数までであれば、仮想処理が行われるので、制御部５が、副検出部８の検出結果に代えて仮想処理の判断結果を用いることで、主スイッチ部Ｑ１が導通する。
【００８６】
ただし、仮想処理が実行された場合、制御部５は、実際には検出信号Ｓ３の信号レベルがＨレベルであることが分かっているので、仮想処理が実行された時点において、接点部９１がオンであると判断する。すなわち、仮想処理が実行された時点では、検出信号Ｓ１と検出信号Ｓ３とは一致しないため、接点部９１がオンであると判断される。
【００８７】
そして、制御部５は、オフ期間Ｔｏｆｆと同様に、接点部９１がオンであると連続して複数回（本実施形態では３回）判断すると、主スイッチ部Ｑ１の動作状態を切り替える。つまり、図４の例では、時点ｔ３２，ｔ３３にて１回目、時点ｔ５２，ｔ５３にて２回目、更に時点ｔ７２，ｔ７３にて３回目の、接点部９１がオンであるとの判断がされたことをもって、制御部５は、接点部９１がオンであるとの判断を確定する。よって、接点部９１がオンであるとの判断は、時点ｔ７３に初めて確定する。
【００８８】
また、制御部５は、接点部９１がオンであるとの判断の確定後、すぐに主スイッチ部Ｑ１の動作状態を切り替えるのではなく、判断確定後、補助スイッチ部Ｑ２が非導通になることを待って、主スイッチ部Ｑ１の動作状態を切り替える。すなわち、時点ｔ７３で仮想処理が行われた結果、制御部５は、時点ｔ７３から所定時間Ｔ４が経過するまでは補助スイッチ部Ｑ２を導通させるので、所定時間Ｔ４が経過した時点ｔ９３にて、主スイッチ部Ｑ１の動作状態を切り替える。ここでは、制御部５は、接点部９１がオフになった時点ｔ９２の直後の時点ｔ９３にて、主スイッチ部Ｑ１の動作状態をオン状態からオフ状態に切り替える。
【００８９】
主スイッチ部Ｑ１がオフ状態にある期間（オフ期間Ｔｏｆｆ）における、制御部５の動作については、「（３．２）オフ状態からオン状態への移行動作」の欄で説明した通りである。
【００９０】
（４）変形例
上記実施形態に係る電子スイッチ装置１は、本発明の一例に過ぎない。上記実施形態は、本発明の目的を達成できれば、設計等に応じて種々の変更が可能である。以下に、上記実施形態の変形例を列挙する。
【００９１】
上記実施形態では、交流電源１１は、単相１００〔Ｖ〕、６０〔Ｈｚ〕の商用電源であるが、単相１００〔Ｖ〕、５０〔Ｈｚ〕の商用電源であってもよい。また、交流電源１１の電圧値は、１００〔Ｖ〕に限らない。
【００９２】
また、上記実施形態では、電子スイッチ装置１は片切スイッチであるが、他の構成であってもよい。例えば、電子スイッチ装置１は、３本の配線を接続可能な、いわゆる三路スイッチであってもよい。また、電子スイッチ装置１は、４本の配線を接続可能な、いわゆる四路スイッチであってもよい。電子スイッチ装置１が三路スイッチを構成する場合、２つの電子スイッチ装置１を組み合わせることにより、負荷１２への通電状態を、例えば、建物における階段の上階部分と下階部分との２箇所で切り替えることが可能である。
【００９３】
上記実施形態では、第１検出部３１は、接続端子１０１−グランド間電圧が基準値以上になることをもって、スイッチ間電圧Ｖｓｗが負極性から正極性へ切り替わる際のゼロクロスを検出する構成であるが、逆であってもよい。つまり、第１検出部３１は、接続端子１０１−グランド間電圧が基準値未満になることをもって、スイッチ間電圧Ｖｓｗが正極性から負極性へ切り替わる際のゼロクロスを検出する構成であってもよい。同様に、第２検出部３２は、接続端子１０２−グランド間電圧が基準値以上になることをもって、スイッチ間電圧Ｖｓｗが正極性から負極性へ切り替わる際のゼロクロスを検出する構成であるが、逆であってもよい。つまり、第２検出部３２は、接続端子１０２−グランド間電圧が基準値未満になることをもって、スイッチ間電圧Ｖｓｗが負極性から正極性へ切り替わる際のゼロクロスを検出する構成であってもよい。
【００９４】
また、上記実施形態では、主検出部３は２つであるが、主検出部３は１つであってもよい。この場合、主検出部３は、スイッチ間電圧Ｖｓｗと基準値とを比較することにより、スイッチ間電圧Ｖｓｗのゼロクロスを検出するように構成されていればよい。また、この場合、制御部５は、主検出部３がスイッチ間電圧Ｖｓｗのゼロクロスを検出するごとに、所定時間Ｔ３又はＴ４、補助スイッチ部Ｑ２を制御するように構成されていればよい。
【００９５】
また、負荷１２は照明装置に限らず、例えば、換気扇及び防犯機器などの電気機器であってもよい。また、負荷１２は、１台の電気機器に限らず、電気的に直列又は並列に接続された複数台の電気機器であってもよい。
【００９６】
また、電子スイッチシステム１０は、操作装置９からなる子器を複数台備えていてもよい。この場合、複数台の操作装置９（子器）が電子スイッチ装置１からなる親器に接続され、複数台の操作装置９にて、電子スイッチ装置１の主スイッチ部Ｑ１の動作状態の切り替えが可能になる。
【００９７】
また、上記実施形態では、主スイッチ部Ｑ１の動作状態がオフ状態にある場合、抵抗Ｒ４，Ｒ５を通して発光素子９２を発光させるための電流Ｉ１を流しているが、この構成に限らず、フィルムコンデンサ等の容量成分にリーク電流を流してもよい。
【００９８】
また、上記実施形態では、例えば図４において、主検出部３がスイッチ間電圧Ｖｓｗのゼロクロスを検出した後で、副検出部８が操作端子間電圧Ｖｏｐのゼロクロスを検出する場合を例示したが、この関係は逆であってもよい。すなわち、副検出部８が操作端子間電圧Ｖｏｐのゼロクロスを検出した後で、主検出部３がスイッチ間電圧Ｖｓｗのゼロクロスを検出してもよい。
【００９９】
また、上記実施形態では、主スイッチ部Ｑ１は双方向サイリスタであるが、その他の半導体スイッチであってもよい。例えば、主スイッチ部Ｑ１は、接続端子１０１と接続端子１０２との間に電気的に直列に接続された２つのＭＯＳＦＥＴであってもよい。２つのＭＯＳＦＥＴは、ソース端子同士が互いに接続される、つまり、いわゆる逆直列に接続されることにより、双方向の電流の通貨／遮断を切り替える。また、主スイッチ部Ｑ１は、例えばＧａＮ（窒化ガリウム）などのワイドバンドギャップの半導体材料を用いたダブルゲート（デュアルゲート）構造の半導体素子であってもよい。
【０１００】
また、上記実施形態では、補助スイッチ部Ｑ２はＭＯＳＦＥＴであるが、その他の半導体スイッチであってもよい。例えば、補助スイッチ部Ｑ２は、ＩＧＢＴ（Insulated Gate Bipolar Transistor）などのトランジスタであってもよい。
【０１０１】
上記実施形態では、補助スイッチ部Ｑ２を導通させる所定時間Ｔ３は、交流電源１１の出力電圧の半周期の約８割の時間であるが、これに限定されない。例えば、所定時間Ｔ３は、交流電源１１の出力電圧の半周期の半分など、交流電源１１の出力電圧の半周期の実数倍の時間であってもよい。
【０１０２】
また、仮想処理を実行する場合、制御部５は、充電検出部７の検出信号Ｓ４の信号レベルがＬレベルになった時点を経過時間の始点としてもよい。つまり、例えば、検出信号Ｓ４の信号レベルがＬレベルになった時点から上限時間Ｔ２が経過した時点にて、仮想処理により、制御部５は、仮想的に、検出信号Ｓ３の信号レベルがＬレベルになったと判断してもよい。これは、制御部５が、オン期間Ｔｏｎにおいて、主検出部３がスイッチ間電圧Ｖｓｗのゼロクロスを検出し、かつ制御電圧が確保できていると充電検出部７が判断した場合に、補助スイッチ部Ｑ２を導通させる制御を実行することに関連している。つまり、制御部５は、主検出部３がスイッチ間電圧Ｖｓｗのゼロクロスを検出した時点で、容量性素子Ｃ１が十分に充電されていない場合、容量性素子Ｃ１が十分に充電されるのを待って、補助スイッチ部Ｑ２の制御を実行する。言い換えれば、制御部５においては、充電検出部７の検出信号Ｓ４の信号レベルがＬレベルになった時点を、主検出部３がスイッチ間電圧Ｖｓｗのゼロクロスを検出した時点とみなすことができる。そのため、検出信号Ｓ１に先行して検出信号Ｓ４の信号レベルがＬレベルになる場合、制御部５は、タイマ５１での経過時間の計測の始点としてもよい。
【０１０３】
また、充電検出部７は、電子スイッチ装置１に必須の構成ではなく、充電検出部７は適宜省略されてもよい。この場合、制御部５は、オン制御指示を受けると、交流電圧Ｖａｃの半周期ごとに、主検出部３からの検出信号Ｓ１，Ｓ２、及び副検出部８からの検出信号Ｓ３のみに基づいて、補助スイッチ部Ｑ２を所定時間Ｔ３又はＴ４、導通させる。すなわち、制御部５は、検出信号Ｓ１，Ｓ２にてスイッチ間電圧Ｖｓｗのゼロクロスを検出し、かつ検出信号Ｓ３にて操作端子間電圧Ｖｏｐのゼロクロスを検出すると、補助スイッチ部Ｑ２を導通させる。
【０１０４】
また、センサ部６は、人が存在するか否かを検知する人感センサに限らず、例えば、明るさセンサであってもよい。または、センサ部６は、人感センサと明るさセンサとの両方を有していてもよい。更に、電子スイッチ装置１は、センサ部６の検知結果に基づいて補助スイッチ部Ｑ２が制御される構成に限らず、例えば、遠隔操作機能、タイマ機能、又は調光機能付きの電子スイッチ装置１であってもよい。例えば、遠隔操作機能付きの電子スイッチ装置１であれば、制御部５は、リモートコントローラからのワイヤレス信号に基づいて、補助スイッチ部Ｑ２を制御する。更に、電子スイッチ装置１は、例えば、押釦スイッチ又はタッチスイッチ等の操作部に対する人の操作に基づいて、補助スイッチ部Ｑ２が制御される構成であってもよい。操作装置９についても同様に、押釦スイッチの操作によって接点部９１がオン／オフする構成に限らず、例えば、センサ部の検知結果に基づいて、又は、遠隔操作機能若しくはタイマ機能により、接点部９１がオン／オフする構成であってもよい。
【０１０５】
また、副検出部８は、スイッチ間電圧Ｖｓｗの大きさを検出するための主検出部３として兼用されてもよい。例えば、副検出部８が第１検出部３１として兼用される場合には、第１検出部３１が省略可能になる。この場合、副検出部８からの検出信号Ｓ３が、上記実施形態における検出信号Ｓ１を兼ねることになる。したがって、制御部５では、第２検出部３２の検出信号Ｓ２と副検出部８の検出信号Ｓ３との相対的な関係に基づいて、接点部９１のオン／オフを検出可能となる。例えば、検出信号Ｓ２の信号レベルがＬレベルになった時点から、交流電圧Ｖａｃの半周期後の時点において、検出信号Ｓ３の信号レベルがＬレベルになった場合には、制御部５は、主検出部３の検出結果と副検出部８の検出結果とが一致すると判断する。
【０１０６】
また、主検出部３は、全波整流前のスイッチ間電圧Ｖｓｗではなく、全波整流後のスイッチ間電圧Ｖｓｗの大きさを検出する構成であってもよい。この場合、主検出部３は、整流器２の直流出力端子間に電気的に接続される。
【０１０７】
本実施形態にて、スイッチ間電圧Ｖｓｗ及び基準値等の２値の比較において、「以上」としているところは、２値が等しい場合、及び２値の一方が他方を超えている場合との両方を含む。ただし、これに限らず、ここでいう「以上」は、２値の一方が他方を超えている場合のみを含む「より大きい」と同義であってもよい。つまり、２値が等しい場合を含むか否かは、基準値等の設定次第で任意に変更できるので、「以上」か「より大きい」かに技術上の差異はない。同様に、「未満」においても「以下」と同義であってもよい。
【０１０８】
（５）まとめ
以上説明したように、第１の態様に係る電子スイッチ装置（１）は、主スイッチ部（Ｑ１）と、一対の操作端子（１０３，１０４）と、制御部（５）と、主検出部（３）と、副検出部（８）と、を備える。主スイッチ部（Ｑ１）は、交流電源（１１）と負荷（１２）との間に電気的に接続され、交流電源（１１）と負荷（１２）との間の導通／非導通を切り替える。一対の操作端子（１０３，１０４）は、操作装置（９）を接続するための端子である。操作装置（９）は、交流電源（１１）と負荷（１２）との間において主スイッチ部（Ｑ１）と電気的に並列に接続される接点部（９１）を有する。制御部（５）は、接点部（９１）のオン／オフに応じて、オン状態と、オフ状態との間で、主スイッチ部（Ｑ１）の動作状態を切り替えるように主スイッチ部（Ｑ１）を制御する。オン状態は、交流電源（１１）から負荷（１２）への電力供給を行う状態である。オフ状態は、交流電源（１１）から負荷（１２）への電力供給を遮断する状態である。主検出部（３）は、主スイッチ部（Ｑ１）の両端間の電圧の大きさを検出する。副検出部（８）は、一対の操作端子（１０３，１０４）間の電圧の大きさを検出する。制御部（５）は、主検出部（３）の検出結果と副検出部（８）の検出結果との相対的な関係に基づいて、接点部（９１）のオン／オフを検出するように構成されている。
【０１０９】
この構成によれば、主スイッチ部（Ｑ１）の両端間の電圧と、一対の操作端子（１０３，１０４）間の電圧との相対的な関係に基づいて、接点部（９１）のオン／オフが検出されることになる。すなわち、接点部（９１）のオン／オフが変化すると、一対の操作端子（１０３，１０４）間の電圧には変化が生じるため、この変化を検出することにより、接点部（９１）のオン／オフが検出される。したがって、電子スイッチ装置（１）は、フォトカプラ等を用いた電流検出回路にて操作装置（９）に流れる電流を検出することで、操作装置（９）の接点部（９１）のオン／オフを検出する構成に比べて、電流検出回路が不要になるため小型化を図ることができる。よって、電子スイッチ装置（１）によれば、操作装置（９）の接点部（９１）のオン／オフを検出可能としながらも小型化を図ることができる、という利点がある。
【０１１０】
第２の態様に係る電子スイッチ装置（１）では、第１の態様において、制御部（５）は、少なくとも主スイッチ部（Ｑ１）の動作状態がオン状態である場合に、以下の処理を実行するように構成されている。すなわち、制御部（５）は、主検出部（３）の検出結果と副検出部（８）の検出結果との相対的な関係に基づいて接点部（９１）のオン／オフを検出し、接点部（９１）がオンしたことを検出すると主スイッチ部（Ｑ１）の動作状態をオフ状態に切り替える。この構成によれば、主検出部（３）の検出結果と副検出部（８）の検出結果との相対的な関係に基づいて、電子スイッチ装置（１）の主スイッチ部（Ｑ１）の動作状態を、少なくともオン状態からオフ状態に切り替えることができる。ただし、この構成は電子スイッチ装置（１）に必須の構成ではなく、主スイッチ部（Ｑ１）の動作状態のオン状態からオフ状態への切り替えは、主検出部（３）の検出結果と副検出部（８）の検出結果との相対的な関係に基づかなくてもよい。
【０１１１】
第３の態様に係る電子スイッチ装置（１）は、第１又は２の態様において、主検出部（３）の検出値が基準値に達した時点からの経過時間を計測するタイマ（５１）を更に備える。制御部（５）は、経過時間が所定の待機時間（Ｔ１）に達するまでの期間に、副検出部（８）の検出値が副基準値に達した場合、接点部（９１）がオフであると判断する。制御部（５）は、経過時間が待機時間（Ｔ１）に達するまでの期間に、副検出部（８）の検出値が副基準値に達しない場合、接点部（９１）がオンであると判断するように構成されている。この構成によれば、例えば、電子スイッチ装置（１）と操作装置（９）とを接続する電線間容量等により、主検出部（３）の検出結果に対して副検出部（８）の検出結果が遅れた場合でも、制御部（５）では、両者の相対的な関係を判断できる。ただし、この構成は電子スイッチ装置（１）に必須の構成ではなく、タイマ（５１）は適宜省略されてもよい。
【０１１２】
第４の態様に係る電子スイッチ装置（１）は、第１〜３のいずれかの態様において、主検出部（３）の検出値が基準値に達した時点からの経過時間を計測するタイマ（５１）を更に備える。制御部（５）は、仮想処理を、連続して最大で所定回数まで行うように構成されている。仮想処理は、経過時間が所定の上限時間（Ｔ２）に達するまでの期間に、副検出部（８）の検出値が副基準値に達しなければ、経過時間が上限時間（Ｔ２）に達した時点で、副検出部（８）の検出値が副基準値に達したことと判断する処理である。制御部（５）は、主スイッチ部（Ｑ１）の動作状態がオン状態であるオン期間（Ｔｏｎ）においては、下記のように、主スイッチ部（Ｑ１）を導通させるタイミングを決定するように構成されている。すなわち、制御部（５）は、少なくとも主検出部（３）の検出結果、及び副検出部（８）の検出結果又は仮想処理の判断結果に基づいて、主スイッチ部（Ｑ１）を導通させるタイミングを決定する。この構成によれば、例えば、電子スイッチ装置（１）と操作装置（９）とを接続する電線間容量等により、主検出部（３）の検出結果に対して副検出部（８）の検出結果が遅れた場合には、制御部（５）では、仮想処理を実行できる。そのため、制御部（５）は、副検出部（８）の検出結果に代えて、仮想処理の判断結果を用いることで、主検出部（３）の検出結果に対して副検出部（８）の検出結果が遅れた場合でも、主スイッチ部（Ｑ１）を導通させることができる。ただし、この構成は電子スイッチ装置（１）に必須の構成ではなく、タイマ（５１）は適宜省略されてもよい。
【０１１３】
第５の態様に係る電子スイッチ装置（１）では、第１〜４のいずれかの態様において、制御部（５）は、接点部（９１）がオンであると連続して複数回判断すると、主スイッチ部（Ｑ１）の動作状態を切り替えるように構成されている。この構成によれば、接点部（９１）がオンであるとの１回の判断で主スイッチ部（Ｑ１）の動作状態を切り替える場合に比べて、主スイッチ部（Ｑ１）の動作状態の切り替えに関する誤動作が低減し、主スイッチ部（Ｑ１）の動作状態の切り替え動作が安定する。ただし、この構成は電子スイッチ装置（１）に必須の構成ではなく、制御部（５）は、接点部（９１）がオンであるとの１回の判断で主スイッチ部（Ｑ１）の動作状態を切り替えてもよい。
【０１１４】
第６の態様に係る電子スイッチ装置（１）は、第１〜５のいずれかの態様において、電源部（４）と、充電検出部（７）と、を更に備える。電源部（４）は、容量性素子（Ｃ１）を含み、主スイッチ部（Ｑ１）の両端間に電気的に接続され、交流電源（１１）からの供給電力により容量性素子（Ｃ１）を充電し、制御部（５）の動作用の制御電圧を生成する。充電検出部（７）は、容量性素子（Ｃ１）に蓄積されている電気エネルギの大きさを検出する。制御部（５）は、主スイッチ部（Ｑ１）の動作状態がオン状態であるオン期間（Ｔｏｎ）においては、主検出部（３）の検出結果、副検出部（８）の検出結果、及び充電検出部（７）の検出結果に基づいて、主スイッチ部（Ｑ１）を導通させるタイミングを決定する。この構成によれば、主スイッチ部（Ｑ１）は、容量性素子（Ｃ１）が十分に充電されるのを待って導通するため、容量性素子（Ｃ１）が十分に充電されていない状態で、主スイッチ部（Ｑ１）が導通することによる制御電圧の不足を抑制できる。ただし、この構成は電子スイッチ装置（１）に必須の構成ではなく、充電検出部（７）は適宜省略されてもよい。
【０１１５】
第７の態様に係る電子スイッチシステム（１０）は、第１〜６のいずれかの態様に係る電子スイッチ装置（１）からなる親器と、操作装置（９）からなる子器と、を備える。
【０１１６】
この構成によれば、主スイッチ部（Ｑ１）の両端間の電圧と、一対の操作端子（１０３，１０４）間の電圧との相対的な関係に基づいて、接点部（９１）のオン／オフが検出されることになる。すなわち、接点部（９１）のオン／オフが変化すると、一対の操作端子（１０３，１０４）間の電圧には変化が生じるため、この変化を検出することにより、接点部（９１）のオン／オフが検出される。したがって、電子スイッチ装置（１）は、フォトカプラ等を用いた電流検出回路にて操作装置（９）に流れる電流を検出することで、操作装置（９）の接点部（９１）のオン／オフを検出する構成に比べて、電流検出回路が不要になるため小型化を図ることができる。よって、電子スイッチシステム（１０）によれば、操作装置（９）の接点部（９１）のオン／オフを検出可能としながらも電子スイッチ装置（１）の小型化を図ることができる、という利点がある。
【０１１７】
第８の態様に係る電子スイッチシステム（１０）では、第７の態様において、子器は、発光素子（９２）を更に有する。発光素子（９２）は、一対の操作端子（１０３，１０４）間において、接点部（９１）と電気的に並列に接続され、主スイッチ部（Ｑ１）の動作状態がオフ状態である場合に発光する。この構成によれば、操作装置（９）の発光素子（９２）の発光の有無により、主スイッチ部（Ｑ１）の動作状態の確認が可能となる。ただし、この構成は電子スイッチシステム（１０）に必須の構成ではなく、発光素子（９２）は適宜省略されてもよい。
【符号の説明】
【０１１８】
１  電子スイッチ装置
３  主検出部
４  電源部
５  制御部
５１  タイマ
７  充電検出部
８  副検出部
９  操作装置
９１  接点部
９２  発光素子
１０  電子スイッチシステム
１１  交流電源
１２  負荷
１０３，１０４  操作端子
Ｃ１  容量性素子
Ｑ１  主スイッチ部
Ｔｏｎ  オン期間
Ｖｓｗ  スイッチ間電圧
Ｖｏｐ  操作端子間電圧
【図１】
2018147756.tif 000003
【図２】
2018147756.tif 000004
【図３】
2018147756.tif 000005
【図４】
2018147756.tif 000006